(57)【要約】      （修正有）【課題】設置面積の縮小化を図ったガス絶縁開閉装置を提供する。【解決手段】受電ユニット１、２の遮断器用密閉容器３９の一方の端に接続した断路器用密閉容器４０の出口側接続部分４２と、変圧器ユニット４、５の遮断器用密閉容器４５の一方の端に接続した断路器用密閉容器４６の出口側接続部分４７とを同一中心軸線５７上に配置し、この中心軸線５７上に、受電ユニット接続母線１６を収納した受電ユニット接続母線用密閉容器４９と、変圧器ユニット接続母線１７を収納した変圧器ユニット接続母線用密閉容器５０とを配置し、これらの受電ユニット接続母線用密閉容器４９および変圧器ユニット接続母線用密閉容器５０の対向部近傍に二組の分岐部を形成し、一方の組の分岐部間にバイパスユニット３Ｂを収納したバイパスユニット用密閉容器５３を接続し、他方の組の分岐部間にＶＣＴユニット３Ａを収納したＶＣＴユニット用密閉容器５６を接続した。【選択図】図１
2007159330.tif 000002
【特許請求の範囲】
【請求項１】
遮断器を有する少なくとも一つの受電ユニットと、この受電ユニットの出口側に接続した受電ユニット接続母線と、遮断器を有する少なくとも一つの変圧器ユニットと、この変圧器ユニットの入口側に接続した変圧器ユニット接続母線と、上記受電ユニット接続母線と上記変圧器ユニット接続母線間に、計器用変圧変流器を有する計器用変圧変流器ユニットと、バイパスユニットとを並列接続したガス絶縁開閉装置において、上記受電ユニットの遮断器を収納した遮断器用密閉容器の一方の端に接続した断路器用密閉容器の出口側接続部分と、上記変圧器ユニットの遮断器を収納した遮断器用密閉容器の一方の端に接続した断路器用密閉容器の出口側接続部分とを同一中心軸線上に配置し、この中心軸線上に、上記受電ユニット接続母線を収納した受電ユニット接続母線用密閉容器と、上記変圧器ユニット接続母線を収納した変圧器ユニット接続母線用密閉容器とを配置し、これらの受電ユニット接続母線用密閉容器および変圧器ユニット接続母線用密閉容器の対向部近傍にそれぞれ二組の分岐部を形成し、一方の組の分岐部間にバイパスユニットを収納したバイパスユニット用密閉容器を接続し、他方の組の分岐部間に計器用変圧変流器ユニットを収納した計器用変圧変流器ユニット用密閉容器を接続したことを特徴とするガス絶縁開閉装置。
【請求項２】
請求項１に記載のガス絶縁開閉装置において、上記中心軸線を含む仮想平面上に、上記バイパスユニット用密閉容器と上記計器用変圧変流器ユニット用密閉容器を配置したことを特徴とするガス絶縁開閉装置。
【請求項３】
請求項１に記載のガス絶縁開閉装置において、上記受電ユニット接続母線用密閉容器および変圧器ユニット接続母線用密閉容器に形成したそれぞれ二つの分岐部は、上記中心軸線上の同じ位置でそれぞれ異なる方向に形成したことを特徴とするガス絶縁開閉装置。
【請求項４】
請求項１に記載のガス絶縁開閉装置において、上記計器用変圧変流器ユニットは、上記計器用変圧変流器と、その両側にそれぞれ接続した断路器とを有して構成し、上記計器用変圧変流器ユニット用密閉容器は、上記分岐部に接続して同方向に延びた第二接続用密閉容器を有し、この第二接続用密閉容器内に上記計器用変圧変流器ユニットの上記断路器を構成したことを特徴とするガス絶縁開閉装置。
【発明の詳細な説明】
【技術分野】
【０００１】
本発明は、計器用変圧変流器を有した民需向けのガス絶縁開閉装置に関する。
【背景技術】
【０００２】
一般に民需向けガス絶縁開閉装置には、使用している電力を測定するために計器用変圧変流器（以下、ＶＣＴと称する）が設置され、受電ユニットと変圧器ユニット間にＶＣＴを有するＶＣＴユニットと、これと並列関係のバイパスユニットとを構成している（例えば、特許文献１および特許文献２を参照）。図７に示した従来のガス絶縁開閉装置では、受電ユニット１、２を構成する縦型遮断器用密閉容器３９と、変圧器ユニット４、５を構成する縦型遮断器用密閉容器４５との間に空間部を形成し、この空間部にＶＣＴ２１を有するＶＣＴユニット３Ａと、これと並列関係のバイパスユニット３Ｂとを構成している。このとき、縦型遮断器用密閉容器３９、４５の下部に形成した分岐部に接続した容器５８、５９の軸方向の端部に受電ユニット接続母線用密閉容器４９または変圧器ユニット接続母線用密閉容器５０を接続し、これにＶＣＴユニット３Ａを収納した密閉容器５６を接続し、これとは別に容器５８、５９の軸方向の中間部から導出した部分にバイパスユニット３Ｂを収納した密閉容器５３を接続していた（例えば、特許文献１を参照）。
【特許文献１】特開平８−７９９２０号公報
【特許文献２】特開平７−２６４７３６号公報
【発明の開示】
【発明が解決しようとする課題】
【０００３】
しかしながら、従来の民需向けガス絶縁開閉装置では、縦型遮断器用密閉容器３９、４５の下部に形成した分岐部に容器５８、５９を接続し、この容器５８、５９の軸方向の異なる二箇所の位置、つまり一箇所目は中間部から導出した部分にバイパスユニット３Ｂを収納した密閉容器５３を接続し、また二箇所目は容器５８、５９の軸方向の端部に受電ユニット接続母線用密閉容器４９または変圧器ユニット接続母線用密閉容器５０を接続し、これにＶＣＴユニット３Ａを収納した密閉容器５６を接続していたため、容器５８、５９の軸方向に大きくなり、しかもＶＣＴユニット３Ａと、これと並列関係のバイパスユニット３Ｂとの接続構成が複雑となり、ガス絶縁開閉装置全体としても大きな設置面積が必要となっていた。
【０００４】
そこで本発明の目的は、ＶＣＴユニットとこれと並列関係のバイパスユニットの接続構成を簡略化し設置面積の一層の縮小化を図ったガス絶縁開閉装置を提供することにある。
【課題を解決するための手段】
【０００５】
上記目的を達成するために本発明は、遮断器を有する少なくとも一つの受電ユニットと、この受電ユニットの出口側に接続した受電ユニット接続母線と、遮断器を有する少なくとも一つの変圧器ユニットと、この変圧器ユニットの入口側に接続した変圧器ユニット接続母線と、上記受電ユニット接続母線と上記変圧器ユニット接続母線間に、計器用変圧変流器を有する計器用変圧変流器ユニットと、バイパスユニットとを並列接続したガス絶縁開閉装置において、上記受電ユニットの遮断器を収納した遮断器用密閉容器の一方の端に接続した断路器用密閉容器の出口側接続部分と、上記変圧器ユニットの遮断器を収納した遮断器用密閉容器の一方の端に接続した断路器用密閉容器の出口側接続部分とを同一中心軸線上に配置し、この中心軸線上に、上記受電ユニット接続母線を収納した受電ユニット接続母線用密閉容器と、上記変圧器ユニット接続母線を収納した変圧器ユニット接続母線用密閉容器とを配置し、これらの受電ユニット接続母線用密閉容器および変圧器ユニット接続母線用密閉容器の対向部近傍にそれぞれ二組の分岐部を形成し、一方の組の分岐部間にバイパスユニットを収納したバイパスユニット用密閉容器を接続し、他方の組の分岐部間に計器用変圧変流器ユニットを収納した計器用変圧変流器ユニット用密閉容器を接続したことを特徴とする。
【０００６】
請求項２に記載の本発明は、請求項１に記載のガス絶縁開閉装置において、上記中心軸線を含む仮想平面上に、上記バイパスユニット用密閉容器と上記計器用変圧変流器ユニット用密閉容器を配置したことを特徴とする。
【０００７】
また請求項３に記載の本発明は、請求項１に記載のガス絶縁開閉装置において、上記受電ユニット接続母線用密閉容器および変圧器ユニット接続母線用密閉容器に形成したそれぞれ二つの分岐部は、上記中心軸線上の同じ位置でそれぞれ異なる方向に形成したことを特徴とする。
【０００８】
さらに請求項４に記載の本発明は、請求項１に記載のガス絶縁開閉装置において、上記計器用変圧変流器ユニットは、上記計器用変圧変流器と、その両側にそれぞれ接続した断路器とを有して構成し、上記計器用変圧変流器ユニット用密閉容器は、上記分岐部に接続して同方向に延びた第二接続用密閉容器を有し、この第二接続用密閉容器内に上記計器用変圧変流器ユニットの上記断路器を構成したことを特徴とする。
【発明の効果】
【０００９】
本発明によるガス絶縁開閉装置は、対向配置した受電ユニット接続母線用密閉容器と変圧器ユニット接続母線用密閉容器の対向部近傍に二組の分岐部をそれぞれ形成し、一組の分岐部間にＶＣＴユニットを接続し、他の一組の分岐部間にバイパスユニットを接続するようにしたため、ＶＣＴユニットとバイパスユニットの構成を簡略化することができると共に、受電ユニットと変圧器ユニット間に形成するスペースを小さくしてガス絶縁開閉装置の設置面積を縮小することができる。
【００１０】
請求項２に記載の本発明によるガス絶縁開閉装置は、中心軸線を含む仮想平面上に、上記バイパスユニット用密閉容器と上記計器用変圧変流器ユニット用密閉容器を配置しているため、この仮想平面の傾き角度を調整することによってＶＣＴとの接続のためにふさわしい高さを容易に確保することができる。
【００１１】
また請求項３に記載の本発明によるガス絶縁開閉装置は、受電ユニット接続母線用密閉容器および変圧器ユニット接続母線用密閉容器に形成したそれぞれ二つの分岐部は、上記中心軸線上の同じ位置でそれぞれ異なる方向に形成したため、各容器の製作が容易になり、受電ユニット接続母線用密閉容器と変圧器ユニット接続母線用密閉容器の対向部の構成を簡略化し、受電ユニットと変圧器ユニット間に形成するスペースをさらに小さくしてガス絶縁開閉装置の設置面積を縮小することができる。
【００１２】
さらに請求項４に記載の本発明によるガス絶縁開閉装置は、分岐部と同方向に延びる部分の第二接続用密閉容器内に断路器を構成しているため、ＶＣＴを除くＶＣＴユニットの構成のためにＶＣＴユニット用密閉容器の軸長を短くすることができる。従って、このＶＣＴユニット用密閉容器の軸長に合わせて受電ユニット接続母線用密閉容器の分岐部のうちＶＣＴユニットを接続する側の一対の分岐部は、近接して配置することができ、受電ユニットと変圧器ユニット間に形成するスペースをさらに小さくしてガス絶縁開閉装置の設置面積を縮小することができる。
【発明を実施するための最良の形態】
【００１３】
以下、本発明の最良の実施の形態を図面に基づいて説明する。
図２は、本発明の一実施の形態によるガス絶縁開閉装置を適用する回路構成例を示す単線結線図である。
民需用の場合の構成は、送電系統から受電を行う受電ユニット１、２と、使用している電力を測定するためのＶＣＴ４３を有するＶＣＴユニット３Ａと、ＶＣＴ４３の交換時に使用するバイパスユニット３Ｂと、変圧器６に接続する変圧器ユニット４、５とを備えている。
【００１４】
送電系統からの受電は二つの回線を用いた二回線受電であり、一番線側の受電ユニット１は、計器用変成器６を通して導入した送電系統からのケーブルを、受電ユニット１の入り口に設けたケーブルヘッド８に接続している。このケーブルヘッド８には一端を接地した避雷器９の他端と、断路器１０の一端が接続され、この断路器１０の他端側には遮断器１１の一端が接続されている。遮断器１１の他端には断路器１２の一端が接続され、受電ユニット１の出口となっている。遮断器１１の両側には接地開閉器１３、１４が接続され、避雷器９の他端側にも接地開閉器１５が接続されている。避雷器９は、送電系統側からの過電圧が受電ユニット１内に浸入するとき大地側に吸収する。受電ユニット１の主要機器である遮断器１１は、その両端に設置した断路器１０、１２を開放することにより遮断器１１を主回路から完全に切離してそのメンテナンスなどを行えるようにしている。各接地開閉器１３〜１５は、充電された主回路の各部をそれぞれ接地するために設けられている。
【００１５】
受電ユニット２は、受電ユニット１と同一構成であるため同等物に同一符号を付けて詳細な説明を省略する。
【００１６】
ＶＣＴユニット３Ａおよびバイパスユニット３Ｂは、受電ユニット１、２の出口間を接続する受電ユニット接続母線１６と、詳細を後述する変圧器ユニット４、５間を接続する変圧器ユニット接続母線１７との間に並列接続して構成されている。ＶＣＴユニット３Ａは、ＶＣＴ２１と、その両側に接続した断路器１９、２３とを備えた基本構成であり、受電ユニット接続母線１６と断路器１９間に接続した受電ユニット側接続用母線１８と、断路器１９とＶＣＴ２１間を接続した一方のＶＣＴ側接続用母線２０と、ＶＣＴ２１と断路器２３間を接続した他方のＶＣＴ側接続用母線２２と、断路器２３と変圧器ユニット接続母線１７間を接続する変圧器ユニット側接続用母線２４とを有している。また受電ユニット側接続用母線１８、ＶＣＴ側接続用母線２０およびＶＣＴ側接続用母線２２には、それぞれその一端を接続すると共にその他端を接地した接地開閉器２５、２６、２７が設けられている。
【００１７】
一方、バイパスユニット３Ｂは、受電ユニット接続母線１６に接続した受電ユニット側バイパス母線２８と、変圧器ユニット接続母線１７に接続した変圧器ユニット側バイパス母線２９と、受電ユニット側バイパス母線２８と変圧器ユニット側バイパス母線２９間に接続したバイパス用断路器３０と、変圧器ユニット側バイパス母線２９に一端を接続し他端を接地した接地開閉器３１とを備えている。バイパスユニット３ＢはＶＣＴ２１のメンテナンス時に用いられるもので、ＶＣＴ２１の両側に接続されて通常閉路状態の断路器１９、２３をそれぞれ開路し、接地開閉器２６、２７を投入してＶＣＴ側接続用母線２０、２２を接地し、通常開路状態にあるバイパス用断路器３０を閉路してからＶＣＴ２１のメンテナンスを行う。バイパスユニット３Ｂに設けた接地開閉器３１やＶＣＴユニット３Ａに設けた接地開閉器２５は、電気的な関係を満足するならどちらのユニットに構成しても同様である。
【００１８】
変圧器ユニット４、５は、設置する変圧器６の台数によって数が決まり、例えば、二台の変圧器を使用する場合は変圧器ユニット４、５の数も二つとなる。変圧器ユニット４、５は同一構成であるから、ここでは変圧器ユニット４についてのみ説明し、変圧器ユニット５については同等物に同一符号を付けて詳細な説明を省略する。変圧器ユニット４は、遮断器３３と、この遮断器３３と変圧器ユニット接続母線１７間に接続した断路器３２と、遮断器３３の両側に設けた接地開閉器３５、３６と、出口側のケーブルヘッド３４を有して構成している。ケーブルヘッド３４により導出したケーブルは計器用変成器３７を貫通した後、変圧器６に接続される。
【００１９】
図３は、上述の回路構成に基づいてガス絶縁開閉装置として構成した受電ユニット１を示す側面図である。
各機器は、絶縁性ガスを充填した密閉容器内に各機器の高圧導体を絶縁配置して構成している。下部を架台３８で支持した縦型の遮断器用密閉容器３９には、上下方向に断路器用密閉容器４０、４１を接続し、断路器用密閉容器４０内に断路器１２を構成し、断路器用密閉容器４１内に断路器１０と、避雷器９と、接地開閉器７を構成している。断路器用密閉容器４１のケーブルヘッド８には送電系統に至るケーブルが接続されている。断路器用密閉容器４０は、後述する図１から分かるように平面図で全体としてほぼ断面Ｔ字状に成され、遮断器用密閉容器３９の分岐部の中心軸線方向に延びた部分に断路器１２を構成し、これと直行する出口側接続部分４２はほぼ水平に配置され、同部の出口側接続導体４２ａに後述する受電ユニット接続母線１６が接続される。遮断器用密閉容器３９内には、遮断器１１と、その両側にそれぞれその一端を接続した接地開閉器１３、１４が収納されており、断路器１２、１５を含むこれらの操作器等を収納した操作器盤４３が遮断器用密閉容器３９の反対側に配置されている。
【００２０】
図４は、上述の回路構成に基づいてガス絶縁開閉装置として構成した変圧器ユニット４を示す側面図である。
各機器は、絶縁性ガスを充填した密閉容器内に各機器の高圧導体を絶縁配置して構成している。下部を架台４４で支持した縦型の遮断器用密閉容器４５の下方にはケーブルヘッド３４が構成され、このケーブルヘッド３４に変圧器６に至るケーブルが接続されている。また遮断器用密閉容器４５の上方向に断路器用密閉容器４６を接続し、この断路器用密閉容器４６内に断路器３２を構成している。この断路器用密閉容器４６は、後述する図１から分かるように平面図で全体としてほぼ断面Ｔ字状に成され、遮断器用密閉容器４５の分岐部の中心軸線方向に延びた部分に断路器３２を構成し、これと直行する入口側接続部分４７はほぼ水平に配置され、同部の入口側接続導体４７ａには詳細を後述する変圧器ユニット接続母線１７が接続される。この断路器用密閉容器４６の入口側接続部分４７は、上述した受電ユニット１における断路器用密閉容器４０の出口側接続部分４２とほぼ同一中心軸線上に配置している。遮断器用密閉容器４５内には、遮断器３３と、その両側にそれぞれその一端を接続した接地開閉器３５、３６が収納されており、断路器３２を含むこれらの操作器等を収納した操作器盤４８が遮断器用密閉容器４５の反対側に配置されている。
【００２１】
図１は、図２に示した回路構成に基づいて構成したガス絶縁開閉装置の平面図である。
受電ユニット１と受電ユニット２は、図３に示した構成であり、両操作器盤４３が列盤構成となるように近接配置している。変圧器ユニット４、５は、図４に示した構成であり、受電ユニット１、２とは所定教隔てた位置で両操作器盤４３が列盤構成となるように近接配置している。受電ユニット１、２は、図３で説明した断路器用密閉容器４０の出口側接続部分４２間を連結すると共に、その内部に収納した出口側接続導体４２ａ間を電気的に接続している。また変圧器ユニット４、５は、図４で説明した断路器用密閉容器４６の出口側接続部分４７間を連結すると共に、その内部に収納した入口側接続導体４７ａ間を電気的に接続している。受電ユニット１、２における断路器用密閉容器４０の出口側接続部分４２と、変圧器ユニット４、５における断路器用密閉容器４６の入口側接続部分４７とはほぼ水平に配置すると共に、これらをほぼ同一中線線５７上に配置している。さらに、この同一中心軸線５７上に、受電ユニット接続母線１６を収納した受電ユニット接続母線用密閉容器４９と、変圧器ユニット接続母線１７を収納した変圧器ユニット接続母線用密閉容器５０とを配置している。
【００２２】
受電ユニット１、２と変圧器ユニット４、５との間の空間部分を利用して、同一中心軸線５７上に配置した受電ユニット接続母線用密閉容器４９と変圧器ユニット接続母線用密閉容器５０には、それぞれ対を成す二組の分岐部を上述した中心軸線に対してほぼ直交する方向に延びて形成している。一組の分岐部には第一接続用密閉容器５１と第一接続用密閉容器５２をそれぞれ連結し、これら第一接続用密閉容器５１、５２の対向部間にバイパスユニット用密閉容器５３を連結している。このバイパスユニット用密閉容器５３内に、図２に示した受電ユニット側バイパス母線２８と、変圧器ユニット接続母線１７に接続した変圧器ユニット側バイパス母線２９と、受電ユニット側バイパス母線２８と変圧器ユニット側バイパス母線２９間に接続したバイパス用断路器３０と、変圧器ユニット側バイパス母線２９に一端を接続し他端を接地した接地開閉器３１とを構成している。一組の分岐部間を接続する密閉容器の構成および形状は種々考えられ、第一接続用密閉容器５１、５２を含むバイパスユニット用密閉容器５３内にバイパスユニット３Ｂを構成しても良い。
【００２３】
受電ユニット接続母線用密閉容器４９と変圧器ユニット接続母線用密閉容器５０に形成した他の組の分岐部には、第二接続用密閉容器５４と第二接続用密閉容器５５をそれぞれ連結し、これら第二接続用密閉容器５４と第二接続用密閉容器５５間にＶＣＴユニット用密閉容器５６を連結している。このＶＣＴユニット用密閉容器５６内、または第二接続用密閉容器５４および第二接続用密閉容器５５を含んだＶＣＴユニット用密閉容器５６内に、図２に示したＶＣＴ２１を除くＶＣＴユニット３Ａを構成している。
【００２４】
このようなガス絶縁開閉装置は、複数の受電ユニット１、２を有する場合はそれらを近接して配置し、また複数の変圧器ユニット４、５を有する場合はそれらを近接して配置し、受電ユニット１、２と変圧器ユニット４、５間に確保したスペースを利用してＶＣＴユニット３Ａとバイパスユニット３Ｂとを構成するようにしているため、ＶＣＴユニット３Ａとバイパスユニット３Ｂを構成した部分の片側に受電ユニットおよび変圧器ユニットを互いに近接して配置した場合に比べて、ＶＣＴユニット３Ａとバイパスユニット３Ｂの構成を簡略化することができる。
【００２５】
受電ユニット１、２と変圧器ユニット４、５を分散して配置する場合、例えば、図３に示した断路器用密閉容器４０に出口側接続導体４２と、この出口側接続部分４２に隣接して第二の出口側接続部分を接続し、図４に示した断路器用密閉容器４０にも入口側接続導体４７と、この入口側接続部分４２に隣接して第二の入口側接続部分を接続し、また第二の出口側接続部分と第二の入口側接続部分を同一中心軸線上に配置し、出口側接続部分４２と入口側接続導体４７間に、例えばＶＣＴユニット３Ａを接続し、第二の出口側接続部分と第二の入口側接続部分間に、例えばバイパスユニット３Ｂを接続することも考えられる。しかしこの場合、受電ユニット１、２および変圧器ユニット４、５の構成が複雑で大型化すると共に、受電ユニット１、２と変圧器ユニット４、５間に形成するスペースを大きくしてガス絶縁開閉装置の設置面積を増大させてしまう。これに対して、対向配置した受電ユニット接続母線用密閉容器４９と変圧器ユニット接続母線用密閉容器５０の対向部近傍に二組の分岐部をそれぞれ形成し、一組の分岐部間にＶＣＴユニット３Ａを接続し、他の一組の分岐部間にバイパスユニット３Ｂを接続するようにしたため、ＶＣＴユニット３Ａとバイパスユニット３Ｂの構成を簡略化することができると共に、受電ユニット１、２と変圧器ユニット４、５間に形成するスペースを小さくしてガス絶縁開閉装置の設置面積を縮小することができる。
【００２６】
また、この実施の形態では、縦型の遮断器用密閉容器３９、４５を用い、その同方向の上下から電路を導入および導出するようにし、上方に接続した断路器用密閉容器４０の出口側接続部分４２と、断路器用密閉容器４６の出口側接続部分４７との中心軸線５７上に、受電ユニット接続母線１６を収納した受電ユニット接続母線用密閉容器４９と、変圧器ユニット接続母線１７を収納した変圧器ユニット接続母線用密閉容器５０とを配置したため、受電ユニット接続母線用密閉容器４９および変圧器ユニット接続母線用密閉容器５０は付設面から所定の高さに配置されることになる。従って、上述した二組の分岐部と、この分岐部間に連結するＶＣＴユニット用密閉容器５６などの密閉容器も同じ所定の高さ、つまり受電ユニット接続母線用密閉容器４９および変圧器ユニット接続母線用密閉容器５０の中心軸線５７が通る仮想水平面に構成することができる。これはＶＣＴ２１の接続部が所定の高さに位置する構成にとって好都合であり、ＶＣＴユニット用密閉容器５６とＶＣＴ２１との接続が簡単な構成で容易に行うことができる。
【００２７】
さらに、この実施の形態では、受電ユニット接続母線用密閉容器４９と変圧器ユニット接続母線用密閉容器５０の対向部近傍に二組の分岐部を形成し、この分岐部と同方向に延びる部分の第二接続用密閉容器５４内に断路器１９を構成し、第二接続用密閉容器５５内に断路器２３を構成しているため、ＶＣＴ２１を除くＶＣＴユニット３Ａの構成のためにＶＣＴユニット用密閉容器５６の軸長を短くすることができる。従って、このＶＣＴユニット用密閉容器５６の軸長に合わせて受電ユニット接続母線用密閉容器４９の分岐部のうちＶＣＴユニット３Ａを接続する側の一対の分岐部は、近接して配置することができる。
【００２８】
この説明から分かるように、対向配置した受電ユニット接続母線用密閉容器４９と変圧器ユニット接続母線用密閉容器５０の対向部近傍に二組の分岐部をそれぞれ形成する際、それぞれの組の分岐部は中心軸線５７の軸方向にずれた位置とすることができ、第一接続用密閉容器５１、５２のいずれか一方、ここでは第一接続用密閉容器５１を第二接続用密閉容器５４よりも外側にずらすことができる。このように分岐部の位置をそれぞれの組で変えることができるので、ＶＣＴユニット用密閉容器５６の軸長、バイパスユニット用密閉容器５３の軸長に容易に合わせて構成することができる。第一接続用密閉容器５１、５２においても、第二接続用密閉容器５４、５５と同様にその内部に断路器３０や接地開閉器３１の少なくとも一方を構成すれば、バイパスユニット用密閉容器５３の軸長を短縮することができるので、その分岐部間をさらに近接することができ、結局、ＶＣＴユニット３Ａとバイパスユニット３Ｂの配置のために受電ユニット１、２および変圧器ユニット４、５間に形成する空間部を縮小することができる。
【００２９】
しかも、対向配置した受電ユニット接続母線用密閉容器４９と変圧器ユニット接続母線用密閉容器５０の対向部近傍に二組の分岐部をそれぞれ形成し、一組の分岐部間にＶＣＴユニット３Ａを接続し、他の一組の分岐部間にバイパスユニット３Ｂを接続するようにしたため、容易にＶＣＴ２１の高さに合わせることができる。次に、そのような実施の形態について説明する。
【００３０】
図５および図６は、本発明の他の実施の形態によるガス絶縁開閉装置を示す正面図および平面図であり、先の実施の形態との同等物には同一符号を付けて詳細な説明を省略する。
上述した受電ユニット接続母線用密閉容器４９と変圧器ユニット接続母線用密閉容器５０は、同一中心軸線５７上に配置し、これらの受電ユニット接続母線用密閉容器４９および変圧器ユニット接続母線用密閉容器５０の対向部近傍には二組の分岐部を形成する点では先の実施の形態と同様であるが、これら各分岐部は中心軸線５７の軸方向の同じ位置それぞれ形成すると共に、一つの仮想垂直面内に形成するようにしている。中心軸線５７の下方部にバイパスユニット３Ｂを収納したバイパスユニット用密閉容器５３を配置し、中心軸線５７の上方部にＶＣＴユニット３Ａを収納したＶＣＴユニット用密閉容器５６を配置している。受電ユニット接続母線用密閉容器４９と変圧器ユニット接続母線用密閉容器５０の対向部に形成した空間部に、ＶＣＴ２１を配置し、架台５８によってバイパスユニット用密閉容器５３の上方部でＶＣＴ２１を支持している。
【００３１】
このような構成のガス絶縁開閉装置によれば、基本的には先の実施の形態の場合とほぼ同様の効果を期待することができ、しかも、上下方向には多少高さが増大するが、操作器盤４３、４８側から見て奥行き方向の設置面積をさらに縮小することができる。
【００３２】
この説明から分かるように中心軸線５７を通る同一仮想平面内にバイパスユニット用密閉容器５３およびＶＣＴユニット用密閉容器５６を構成することにより、この仮想平面に所定の傾きを与えることにより、ＶＣＴユニット用密閉容器５６をＶＣＴ２１との接続にとって都合の良い高さにすることができると共に、設置面積を調整することができる。
【００３３】
また、この実施の形態では、受電ユニット接続母線用密閉容器４９および変圧器ユニット接続母線用密閉容器５０に形成したそれぞれ二つの分岐部は、中心軸線５７上の同じ位置でそれぞれ異なる方向に形成したため、例えば左右側の容器がほぼ同じ構造となり各容器の製作が容易になり、受電ユニット接続母線用密閉容器４９と変圧器ユニット接続母線用密閉容器５０の対向部の構成をすっきりと簡略化し、受電ユニット１、２と変圧器ユニット４、５間に形成するスペースをさらに小さくしてガス絶縁開閉装置の設置面積を縮小することができる。
【００３４】
また、上述した各実施の形態では、受電ユニット接続母線用密閉容器４９および変圧器ユニット接続母線用密閉容器５０の対向部近傍に、同一仮想平面に位置する二組の分岐部を形成しているが、これら二組の分岐部は例えば９０度の開き角度を有していても良い。このような構成によれば、バイパスユニット用密閉容器５３およびＶＣＴユニット用密閉容器５６をそれぞれ任意の高さ位置に配置することができる。例えば、図４に示したバイパスユニット用密閉容器５３をさらに上方部に配置することが可能となるため、受電ユニット接続母線用密閉容器４９および変圧器ユニット接続母線用密閉容器５０は図３および図４に示した遮断器用密閉容器４３、４５の下方に形成した分岐接続部に、断路器用密閉容器４０、４６を接続し、これらの出口側接続部分４２と出口側接続部分４７と同じ中心軸線上に受電ユニット接続母線用密閉容器４９および変圧器ユニット接続母線用密閉容器５０を配置することもできる。
【産業上の利用可能性】
【００３５】
本発明によるガス絶縁開閉装置は、二つの受電ユニット１、２と二つの変圧器ユニット４、５を有する構成について説明したが、それぞれ少なくとも一つの構成を有するものに適用することができ、またバイパスユニット３Ｂとしては図示の構成に限らずＶＣＴユニット３Ａと同様の構成としたものにも適用することができる。
【図面の簡単な説明】
【００３６】
【図１】本発明の一実施の形態によるガス絶縁開閉装置を示す平面図である。
【図２】本発明を適用する民需用ガス絶縁開閉装置の回路構成例を示す単線結線図である。
【図３】図１に示したガス絶縁開閉装置の受電ユニットを示す側面図である。
【図４】図１に示したガス絶縁開閉装置の変圧器ユニットを示す側面図である。
【図５】本発明の他の実施の形態によるガス絶縁開閉装置を示す平面図である。
【図６】図５に示したるガス絶縁開閉装置の平面図である。
【図７】従来のガス絶縁開閉装置を示す背面図である。
【符号の説明】
【００３７】
１、２    受電ユニット
３Ａ    ＶＣＴユニット
３Ｂ    バイパスユニット
４、５    変圧器ユニット
８    ケーブルヘッド
１０、１２    断路器
１１    遮断器
１６    受電ユニット接続母線
１７    変圧器ユニット接続母線
１８    受電ユニット側接続用母線
１９    断路器
２０    ＶＣＴ側接続用母線
２１    ＶＣＴ
２２    ＶＣＴ側接続用母線
２３    断路器
２４    変圧器ユニット側接続用母線
２８    受電ユニット側バイパス母線
２９    変圧器ユニット側バイパス母線
３０    バイパス用断路器
３９、４５    遮断器用密閉容器
４０、４６    断路器用密閉容器
４２    出口側接続部分
４３、４８    操作器盤
４７    入口側接続部分
４９    受電ユニット接続母線用密閉容器
５０    変圧器ユニット接続母線用密閉容器
５１、５２    第一接続用密閉容器
５３    バイパスユニット用密閉容器
５４、５５    第二接続用密閉容器
５６    ＶＣＴユニット用密閉容器
【図１】
2007159330.tif 000003
【図２】
2007159330.tif 000004
【図３】
2007159330.tif 000005
【図４】
2007159330.tif 000006
【図５】
2007159330.tif 000007
【図６】
2007159330.tif 000008
【図７】
2007159330.tif 000009